(57)【要約】【課題】本発明は、従来の充電器に存在する、位置固定機能がないと電池が落ちてしまいやすく、位置固定機能があると大きすぎる電池を使用できないという問題を解決することができる、電力交換装置を提供する。【解決手段】本発明による電力交換装置は、電子機器に属し、本体を備える。前記本体は、配置空間を備え、前記配置空間の側辺は位置決めブロックを形成する。前記位置決めブロックは、前記配置空間に向かって延伸して収容空間を形成し、前記収容空間は、電池を収容することができる。  本発明は、各種異なる規格とサイズの電池を収容空間内に収容することができるとともに、位置決めブロックにより、電池の位置を固定して充電を行うことができる。このように、電池の位置決め機能を有するため、実用性を達成することができる。【選択図】図３
2013515454.tif 000002
【特許請求の範囲】
【請求項１】
電力交換装置であって、
前記電力交換装置は、本体を備え、
前記本体は、配置空間を備え、前記配置空間の側辺は位置決めブロックを形成し、
前記位置決めブロックは前記配置空間に向かって延伸して収容空間を形成し、
前記収容空間内には電池が収容されることを特徴とする、電力交換装置。
【請求項２】
前記位置決めブロックは、孤面を備えた側壁、或いは、円柱体、或いは、四角柱体であることを特徴とする、請求項１に記載の電力交換装置。
【請求項３】
前記本体には、蓋体が枢設されることを特徴とする、請求項１に記載の電力交換装置。
【請求項４】
前記配置空間には、電池を固定する係止体が設けられることを特徴とする、請求項１に記載の電力交換装置。
【請求項５】
前記本体には、少なくとも一つの連結孔が設けられることを特徴とする、請求項１に記載の電力交換装置。
【請求項６】
前記本体における位置決めブロックに相対する他側には側縁が設けられることを特徴とする、請求項１に記載の電力交換装置。
【発明の詳細な説明】
【技術分野】
【０００１】
本発明は電子機器に関し、特に、電力交換装置に関する。
【背景技術】
【０００２】
現在、消費性電子製品（例えば、携帯電話、デジタルカメラ、ＭＰ３等）は、幅広く使用されている。また、消費性電子製品に電力を供給するために、消費性電子製品は、通常、電池に接続される。その電池は、反復して使用可能な充電電池であるため、充電器は、基本的な周辺設備となっている。
【０００３】
しかしながら、消費性電子製品は、次々と新しい製品が登場している。現代人の新しさと変化を求める需要を満たすため、そして、個人の特色を強調したいという需要を満たすため、各メーカーが開発した消費性電子製品は、常に、個性的なデザイン、及び配色によって差別化が図られている。同様に、消費性電子製品に取り付ける電池は、通常、消費性電子製品に合わせて作られるため、それに合わせて使用される充電器は、その他のメーカーの充電器と共用させることができない。
【０００４】
そして、あるメーカーによって、各種の異なる規格、メーカーの電池を充電することができる充電器が開発された。図１に示すように、従来の充電器１は、本体１１を備える。本体１１には、各種異なる規格の電池を収容することができる配置空間１２が設けられ、電池を配置空間１２に配置して充電を行うことができる。
【０００５】
図２を参照する。従来の別の形態の充電器２は、本体２１を備える。本体２１には、各種異なる規格の電池を収容する配置空間２２が設けられる。配置空間２２の両側には、それぞれ、側壁２３が設けられ、二つの側壁２３を設けることによって、電池を配置空間２２内に固定して収容し、充電を行うことができる。
【０００６】
しかしながら、上述の充電器１、２は、使用上、以下の問題が生じる。
【０００７】
１、充電器１の配置空間１２は、充電器２の側壁２３を設けておらず、より大きな電池を収容できるが、電池を充電する時、電池の位置固定の機能をもっていないため、配置空間１２から落ちてしまいやすい。
【０００８】
２、充電器２の配置空間２２の両側には、それぞれ側壁２３が設けられており、電池のサイズが大きすぎると、配置空間２２内に収容することができず、改良の余地がある。
【発明の概要】
【発明が解決しようとする課題】
【０００９】
そこで、本発明は、従来の充電器に存在する、位置固定機能がないと電池が落ちてしまいやすく、位置固定機能があると大きすぎる電池を使用できないという問題を解決することができる、電力交換装置を提供することを目的とする。
【課題を解決するための手段】
【００１０】
本発明による電力交換装置は、本体を備える。前記本体は、電池を収容する配置空間を備え、配置空間の側辺は位置決めブロックを形成し、前記位置決めブロックは、配置空間に向かって延伸して収容空間を形成する。前記収容空間によって、各種異なる形状或いは大きさの電池を収容することができる。
【００１１】
その内、位置決めブロックは、弧面を有する側壁、或いは円柱体、或いは、四角柱体であり、本体には蓋体が枢設される。配置空間内には電池を固定する係止体が設けられ、本体には、少なくとも一つの連結孔が設けられる。本体における位置決めブロックと相対する他辺は、側縁を形成する。
【発明の効果】
【００１２】
本発明は、各種異なる規格とサイズの電池を収容空間内に収容することができるとともに、位置決めブロックにより、電池の位置を固定して充電を行うことができる。このように、電池の位置決め機能を有するため、実用性を達成することができる。
【図面の簡単な説明】
【００１３】
【図１】従来の充電器を示した斜視図である。
【図２】従来の別の形態の充電器を示した斜視図である。
【図３】本発明を示した斜視図である。
【図４】本発明を示した展開図である。
【図５】本発明の実施例を示した概略図である。
【図６】本発明の別の実施例を示した概略図１である。
【図７】本発明の別の実施例を示した概略図２である。
【図８】本発明の別の実施例を示した概略図３である。
【図９】本発明のさらに別の実施例を示した概略図１である。
【図１０】本発明のさらに別の実施例を示した概略図２である。
【図１１】本発明のさらに別の実施例を示した概略図３である。
【発明を実施するための形態】
【００１４】
図３と図４に示すように、本発明の電力交換装置３は、本体３１を備える。本体３１には、蓋体３４が枢設され、本体３１には、少なくとも一つ以上の連結孔３６が設けられる。本体３１は配置空間３２を備え、配置空間３２内には、電池を固定する係止体３５が設けられる。配置空間３２は電池を収容し、配置空間３２側辺は位置決めブロック３３を形成し、位置決めブロックは壁面であり、位置決めブロック３３は、配置空間３２に向かって延伸して収容空間３３１を形成する。
【００１５】
図４と図５に示すように、電池４を電力交換装置３の配置空間３２に配置して充電を行う際、配置空間３２の側辺は位置決めブロック３３を形成しており、位置決めブロック３３は壁面であり、位置決めブロックは、配置空間３２に向かって延伸して収容空間３３１を形成し、収容空間３３１は、各種異なる規格と大きさの電池４を収容することができるため、電池４を、位置決めブロック３３によって位置の固定をして充電を行うことができる。このように、電池の位置決め機能を有するため、実用性を達成することができる。
【００１６】
図６から図８に示すように、電力交換装置３の位置決めブロックは、弧面を有する側壁、円柱体、四角柱体等の形態である。
【００１７】
図９から図１１に示すように、電力交換装置３の本体３１における位置決めブロック３３に相対する他側は、側縁３７を形成する。側縁３７は、配置空間３２に当接し、配置空間３２と同じ高さである。なお、側縁３７は、配置空間３２より少し高くすることもできるが、位置決めブロック３３より高くしてはならない。以上の構造により、電池の充電を行いたい時、電池を収容空間３３１に収容することができるが、電池は、側縁３７に制限されるとは限らず、電池は本体３１から突出することもでき、位置決めブロック３３に抵触して位置決め効果を有する。
【符号の説明】
【００１８】
１      充電器
１１    本体
１２    配置空間
２      充電器
２１    本体
２２    配置空間
２３    側壁
３      電力交換装置
３１    本体
３２    配置空間
３３    位置決めブロック
３３１  収容空間
３４    蓋体
３５    係止体
３６    連結孔
３７    側縁
４      電池
【図１】
2013515454.tif 000003
【図２】
2013515454.tif 000004
【図３】
2013515454.tif 000005
【図４】
2013515454.tif 000006
【図５】
2013515454.tif 000007
【図６】
2013515454.tif 000008
【図７】
2013515454.tif 000009
【図８】
2013515454.tif 000010
【図９】
2013515454.tif 000011
【図１０】
2013515454.tif 000012
【図１１】
2013515454.tif 000013
【国際調査報告】
2013515454.tif 000014
2013515454.tif 000015
2013515454.tif 000016
2013515454.tif 000017
2013515454.tif 000018
2013515454.tif 000019